(57)【特許請求の範囲】
【請求項１】
バーナ点火時若しくは消火時は、バーナペア数に対応したプログラムにより定まる弁開度指令に基づき、燃料ポンプから燃料噴射バーナへ至る管路に接続した燃料戻し管の圧力制御弁の開度を調整し、前記バーナ点火若しくは消火から規定時間到達後は、予め定めたバーナ前設定圧力と前記管路中のバーナ前検出圧力の差を処理して求めた弁開度調整指令を前記弁開度指令に加算して修正弁開度調整指令を求め、該修正弁開度調整指令により前記圧力制御弁の開度を調整することを特徴とする燃料のバーナ前圧力制御方法。
【請求項２】
バーナペア数に対応したプログラムにより定まる弁開度指令を出力する関数発生器と、
点火時には、点火時のバーナ前設定圧力を出力する信号発生器から与えられたバーナ前設定圧力を出力し、消火時には、消火時のバーナ前設定圧力を出力する信号発生器から与えられたバーナ前設定圧力を出力する第１の切換器と、
点火時若しくは消火時には、燃料ポンプから燃料噴射バーナへ至る管路に接続した圧力検出器により検出したバーナ前検出圧力を出力し、点火時若しくは消火時以外は前記第１の切換器からのバーナ前設定圧力を出力する第２の切換器と、
前記圧力検出器からのバーナ前検出圧力と前記第２の切換器からのバーナ前検出圧力若しくはバーナ前設定圧力の差を取りバーナ前圧力偏差を求める減算器と、
前記減算器で求めたバーナ前圧力偏差を処理し弁開度調整指令を求める調節器と、
前記関数発生器からの弁開度指令と調節器からの弁開度調整指令を加算して修正弁開度調整指令を求め、該修正弁開度調整指令を基に燃料ポンプから燃料噴射バーナへ至る管路に接続した燃料戻し管の圧力制御弁の開度を調整する加算器を設けた
ことを特徴とする燃料のバーナ前圧力制御装置。
【発明の詳細な説明】
【０００１】
【発明の属する技術分野】
本発明は燃料のバーナ前圧力制御方法及び装置に関するものである。
【０００２】
【従来の技術】
ボイラには、燃料としてＣＷＭ（ｃｏａｌ  ｗａｔｅｒ  ｍｉｘｔｕｒｅ）やオリマルジョンを焚くものがあるが、ＣＷＭやオリマルジョン焚きの場合には、通常燃料流量制御を燃料ポンプの回転数により行っている。
【０００３】
しかし、燃料ポンプの回転数には下限があり、或る回転数よりも下げることはできないため、下限域においては、燃料流量制御を燃料ポンプの回転数ではなく、燃料ポンプ出口における燃料を一部逃がしてサービスタンクへ戻すバーナ前圧力制御により行っており、通常は、１ペアのバーナが燃焼を完了したら、燃料流量制御をバーナ前圧力制御から燃料ポンプの回転数制御へと移行させている。
【０００４】
ところが、燃料ポンプの容量が大容量になると、数ペアのバーナの燃焼後でなければ、燃料ポンプの回転数制御に移行することができず、従って、燃料ポンプの回転数制御へ移行する前の段階におけるバーナの点消火時には、燃料噴射弁を開き或いは閉止することによりバーナ前圧力が低下若しくは上昇するため、バーナ前設定圧力を迅速に規定値にすることができない。
【０００５】
そこで、燃料ポンプの回転数制御へ移行する前の段階であるバーナ前圧力制御時にバーナ前圧力の安定を図るため、従来は、バーナの点消火時にバーナ前圧力制御を一時的に中断したり、或いはバーナペア数に対応してプログラムに基づき圧力制御弁の開度を調整することが行われている。
【０００６】
而して、バーナの点消火時にバーナ前圧力制御を一時的に中断する場合の燃料供給系の一例は、図４に示され、図中、１は中途部に燃料ポンプ２を備えた燃料主管、３ａ，３ｂは燃料主管１の先端から複数に分岐し且つ中途部に燃料噴射弁４ａ，４ｂを備えた燃料管、５ａ，５ｂは燃料管３ａ，３ｂ先端から２本に分岐した燃料噴射管、６ａ，６ｂは各燃料噴射管５ａ，５ｂの先端に接続された複数ペアの燃料噴射バーナであり、各燃料噴射バーナ６ａ，６ｂは夫々２本ずつペアで燃焼するようになっている。
【０００７】
７は燃料ポンプ２の燃料流れ方向Ｄ下流側で燃料主管１に接続され且つ中途部に圧力制御弁８を備えた燃料戻し管であり、燃料戻し管７を通った燃料はサービスタンクへ戻されるようになっている。
【０００８】
９は燃料主管１の燃料戻し管７接続部よりも燃料流れ方向Ｄ下流側に位置するよう接続され且つ燃料主管１内を流れる燃料のバーナ前圧力を検出するための圧力検出器である。
【０００９】
１０は燃料噴射バーナ６ａ，６ｂの点火時におけるバーナ前設定圧力Ｐ１又はＰ３（Ｐ１≒Ｐ３）の指令を出力する信号発生器、１１は燃料噴射バーナ６ａ，６ｂの消火時におけるバーナ前設定圧力Ｐ２又はＰ４（Ｐ２≒Ｐ４＜Ｐ１≒Ｐ３）の指令を出力する信号発生器、１２は点火時にはａ側に切換って信号発生器１０からのバーナ前設定圧力Ｐ１又はＰ３を出力し、消火時には、ｂ側に切換って信号発生器１１からのバーナ前設定圧力Ｐ２又はＰ４を出力する切換器、１３は点消火指令がない場合（点消火時以外の場合）には、ｂ側に切換って切換器１２からのバーナ前設定圧力Ｐ１，Ｐ３又はＰ２，Ｐ４を出力し、点消火指令が与えられた点消火時の場合には、ａ側に切換って圧力検出器９で検出したバーナ前検出圧力Ｐを出力するようにした切換器である。
【００１０】
１４は点消火指令のない場合には、切換器１３からのバーナ前設定圧力Ｐ１，Ｐ３又はＰ２，Ｐ４に到達するまで、変化率を制限してバーナ前設定圧力の信号を出力し、点消火指令が与えられたら変化率の制限を解除（レート除外）して圧力検出器９からのバーナ前検出圧力Ｐを出力し得るようにした変化率制限器、１５は変化率制限器１４から与えられたバーナ前設定圧力Ｐ１，Ｐ３又はＰ２，Ｐ４若しくはバーナ前検出圧力Ｐと圧力検出器９から直接与えられたバーナ前検出圧力Ｐの差をとって、バーナ前圧力偏差ΔＰを求める減算器、１６は減算器１５からのバーナ前圧力偏差ΔＰを比例積分処理し、弁開度調整指令Ｖ１として圧力制御弁８へ与える比例積分調節器である。
【００１１】
例えば１ペアの燃料噴射バーナ６ａが燃焼しており、次に２ペア目の燃料噴射バーナ６ｂを点火させる場合で、まだ点火指令が与えられていない場合には、切換器１２はａ側に、又切換器１３はｂ側に切換っている。
【００１２】
このため、信号発生器１０からは、バーナ前設定圧力Ｐ１が出力され、切換器１２，１３を経て変化率制限器１４へ与えられ、変化率を制限された信号として減算器１５へ与えられる。
【００１３】
又、圧力検出器９で検出した燃料主管１を送給される燃料のバーナ前圧力は、バーナ前検出圧力Ｐとして減算器１５へ与えられ、減算器１５では、バーナ前設定圧力Ｐ１とバーナ前検出圧力Ｐの差がバーナ前圧力偏差ΔＰとして求められ、求められたバーナ前圧力偏差ΔＰは比例積分調節器１６へ与えられる。
【００１４】
比例積分調節器１６へ与えられたバーナ前圧力偏差ΔＰは、比例積分処理されて弁開度調整指令Ｖ１が求められ、求められた弁開度調整指令Ｖ１は圧力制御弁８へ与えられて圧力制御弁８の開度が弁開度調整指令Ｖ１に対応して調整され、而して燃料戻し管７からサービスタンクへ戻される燃料の流量を制御することによりバーナ前設定圧力Ｐ１とバーナ前検出圧力Ｐとが等しくなるよう、すなわち、バーナ前圧力偏差ΔＰが零になるよう圧力制御運転が行われる。
【００１５】
燃料噴射バーナ６ａが燃焼した状態で燃料噴射バーナ６ｂに点火を行う場合には、点火指令により燃料噴射弁４ｂが開くと共に切換器１３はａ側に切換り、変化率制限器１４はレート除外される。このため、圧力検出器９で検出したバーナ前検出圧力Ｐは、直接減算器１５に与えられると共に、切換器１３、レート除外された変化率制限器１４を経て減算器１５に与えられる。
【００１６】
このため、減算器１５で求められたバーナ前圧力偏差ΔＰは零になり、比例積分調節器１６からは弁開度調整指令Ｖ１が出力されず、圧力制御弁８の開度は変化しなくなる。その結果、点火時には一時的に燃料供給系の圧力制御が行われない状態になる。
【００１７】
又、燃料噴射バーナ６ｂが点火した後規定時間後に、切換器１３はｂ側に切換り、変化率制限器１４はレート除外を解除される。
【００１８】
このため、以後は、圧力制御弁８は、信号発生器１０からのバーナ前設定圧力Ｐ３と圧力検出器９で検出したバーナ前検出圧力Ｐが等しくなるよう、すなわち、バーナ前圧力偏差ΔＰが零となるよう圧力制御弁８の開度が調整され、燃料供給系の圧力制御が行われる。
【００１９】
燃料噴射バーナ６ａ，６ｂが燃焼している状態で例えば燃料噴射バーナ６ｂを消火する場合には、消火指令が与えられない状態では切換器１２はｂ側に切り換っており、信号発生器１１からのバーナ前設定圧力Ｐ４と圧力検出器９で検出したバーナ前検出圧力Ｐとの差であるバーナ前圧力偏差ΔＰが減算器１５において求められ、バーナ前圧力偏差ΔＰは比例積分調節器１６で比例積分処理されて弁開度調整指令Ｖ１が求められ、圧力制御弁８は弁開度調整指令Ｖ１により、バーナ前圧力偏差ΔＰが零になるよう開度を調整され、圧力制御が行われる。
【００２０】
消火指令が切換器１３及び変化率制限器１４に与えられると、燃料噴射弁４ｂが閉止すると共に切換器１３はａ側に切換り、変化率制限器１４はレート除外される。このため、圧力検出器９で検出したバーナ前検出圧力Ｐは、直接減算器１５へ与えられると同時に切換器１３、変化率制限器１４を経て減算器１５に与えられ、従って減算器１５で求められるバーナ前圧力偏差ΔＰは零となり、その結果、比例積分調節器１６から圧力制御弁８へ弁開度調整指令Ｖ１は出力されず、圧力制御弁８の開度は変化しないため、消火時にも、一時的に燃料供給系の圧力制御が行われない状態になる。
【００２１】
又、燃料噴射バーナ６ｂが消火した後規定時間後に、切換器１３はｂ側に切換り、変化率制限器１４はレート除外が解除される。
【００２２】
このため、以後は、圧力制御弁８は、信号発生器１０からのバーナ前設定圧力Ｐ２と圧力検出器９で検出したバーナ前検出圧力Ｐとの差であるバーナ前圧力偏差ΔＰが零となるよう圧力制御弁８の開度が調整され、圧力制御が行われる。
【００２３】
上述の点火、消火を行う際の燃料流量とバーナ前圧力の関係は図５に示されている。すなわち、例えば燃料噴射バーナ６ａをバーナ前圧力がＰ１となるよう運転を行っている状態で、燃料噴射バーナ６ｂを点火する場合、点火指令により燃料噴射弁４ｂが開き、燃料噴射バーナ６ｂから燃料の噴射が開始される。この際、圧力制御弁８は一時的に圧力制御が行われず、一定開度を保持した状態となるため、バーナ前圧力は、図５の垂線イのＰ１からＰ２に示すように、急激に下降し、曲線ハに示すように燃料流量が徐々に増加するに従い圧力制御弁８による圧力制御が再開されてバーナ前圧力が回復して来る。
【００２４】
又、燃料噴射バーナ６ａ，６ｂバーナ前圧力がＰ３となるよう、運転を行っている状態で燃料噴射バーナ６ｂを消火する場合、消火指令により燃料噴射弁４ｂが閉止し、燃料噴射バーナ６ｂからの燃料噴射が停止される。この際、圧力制御弁８は一時的に圧力制御が行われず、一定開度を保持した状態となるため、バーナ前圧力は図５の垂線イのＰ２からＰ１に示すように急激に上昇し、曲線ロに示すように燃料流量が徐々に下降するに従い、圧力制御弁８による圧力制御が再開されてバーナ前圧力は徐々に下降する。
【００２５】
図５中、曲線ロは、バーナペア数が１ペアの場合の燃料流量とバーナ前圧力との関係を示し、曲線ハの場合は、バーナペア数が２ペアの場合の燃料流量とバーナ前圧力との関係を示す。
【００２６】
なお、上述の装置の場合、一時的に点消火時に圧力制御弁８の開度を一定に保持し、圧力制御を行わないのは、以下の理由による。すなわち、点消火時には、圧力検出器９で検出されるバーナ前圧力は急激に下降若しくは上昇するため、急激に変化するバーナ前圧力に基づき圧力制御弁８の開度を調整すると、圧力制御弁８の開度は大きく変化し、安定した圧力制御に移行するのに時間が掛かるためである。
【００２７】
次に、バーナの点消火時にバーナペア数に対応してプログラムに基づき圧力制御弁の開度を調整する場合の燃料供給系の一例は図６に示され、図中、１７は燃焼する燃料噴射バーナ６ａ，６ｂのペア数によりプログラムに基づき圧力制御弁８の弁開度指令Ｖ２を出力する関数発生器、１８は関数発生器１７からの弁開度指令Ｖ２の変化率を制限して圧力制御弁８の開閉速度を押えるための変化率制限器であり、燃料供給系自体は、図４の場合と同じであるため、同一部分には同一の符号が付してある。
【００２８】
関数発生器１７には、図７に示すごとくバーナペア数が増加したら圧力制御弁８の開度を段階的に絞り、燃料噴射バーナ６ａ，６ｂから噴射される燃料の圧力を段階的に上昇させるための関数Ｆ（ｘ）がプログラムとして入力されている。
【００２９】
本例の場合燃料噴射バーナ６ａ，６ｂを点火若しくは消火する場合には、バーナペア数の指令により燃料噴射弁４ａ，４ｂが開又は閉され、又バーナペア数に対応した弁開度指令Ｖ２が関数発生器１７から圧力制御弁８に与えられ、圧力制御弁８はバーナペア数に見合った開度にプログラム制御される。
【００３０】
このため、図６の燃料供給系では、例えば燃料噴射バーナ６ａが燃焼している状態で燃料噴射弁４ｂを開き燃料噴射バーナ６ｂに点火を行ってもバーナ前圧力が急激に減少することがなく、燃料噴射バーナ６ａ，６ｂが燃焼している状態で燃料噴射弁４ｂを閉止して燃料噴射バーナ６ｂを消火してもバーナ前圧力が急激に増加することがない。従って図６の場合には、点消火時においても迅速に安定したバーナ前圧力を得ることができ、点火時のバーナ前圧力低下による不安定燃焼を防止することができる。
【００３１】
【発明が解決しようとする課題】
図４に示す燃料供給系の場合は、バーナの点消火時にバーナ前圧力が急激に低下若しくは上昇するため、バーナ前圧力を迅速に規定値に保持することが難しく、特にバーナ点火時のバーナ前圧力の低下により燃料噴射バーナの不安定燃焼が生じる虞れがある。
【００３２】
又、図６に示す燃料供給系の場合は、バーナ点消火時にも迅速に安定したバーナ前圧力を得ることができるため、点火時にバーナ前圧力が低下することがなく、従って燃料噴射バーナ６ａ，６ｂの不安定燃焼が生じる虞れはない。
【００３３】
しかし燃料がＣＷＭやオリマルジョンの場合、圧力制御弁８の弁や弁座は使用年月の経過に伴い摩耗し、このため同じペア数でも使用開始直後とある期間使用した後では圧力制御弁８の開度に差が生じ、制御の安定性に欠けるという問題がある。
【００３４】
本発明は上述の実情に鑑み、燃料噴射バーナの点消火時に迅速に安定したバーナ前圧力を得ることができるようにすると共に使用によって圧力制御弁の弁、弁座が摩耗した場合にも制御の安定性が損われないようにすることを目的としてなしたものである。
【００３５】
【課題を解決するための手段】
本発明は、バーナ点火時若しくは消火時は、バーナペア数に対応したプログラムにより定まる弁開度指令に基づき、燃料ポンプから燃料噴射バーナへ至る管路に接続した燃料戻し管の圧力制御弁の開度を調整し、前記バーナ点火若しくは消火から規定時間到達後は、予め定めたバーナ前設定圧力と前記管路中のバーナ前検出圧力の差を処理して求めた弁開度調整指令を前記弁開度指令に加算して修正弁開度調整指令を求め、該修正弁開度調整指令により前記圧力制御弁の開度を調整するものである。
【００３６】
本装置発明は、バーナペア数に対応したプログラムにより定まる弁開度指令を出力する関数発生器と、
点火時には、点火時のバーナ前設定圧力を出力する信号発生器から与えられたバーナ前設定圧力を出力し、消火時には、消火時のバーナ前設定圧力を出力する信号発生器から与えられたバーナ前設定圧力を出力する第１の切換器と、
点火時若しくは消火時には、燃料ポンプから燃料噴射バーナへ至る管路に接続した圧力検出器により検出したバーナ前検出圧力を出力し、点火時若しくは消火時以外は前記第１の切換器からのバーナ前設定圧力を出力する第２の切換器と、
前記圧力検出器からのバーナ前検出圧力と前記第２の切換器からのバーナ前検出圧力若しくはバーナ前設定圧力の差を取りバーナ前圧力偏差を求める減算器と、
前記減算器で求めたバーナ前圧力偏差を処理し弁開度調整指令を求める調節器と、
前記関数発生器からの弁開度指令と調節器からの弁開度調整指令を加算して修正弁開度調整指令を求め、該修正弁開度調整指令を基に燃料ポンプから燃料噴射バーナへ至る管路に接続した燃料戻し管の圧力制御弁の開度を調整する加算器を設けたものである。
【００３７】
本発明では、点消火時には圧力制御弁の開度はプログラムに基づき制御され、前記バーナ点火若しくは消火から規定時間到達後は、燃料のバーナ前圧力及びバーナペア数に対応したプログラムの両方により制御される。
【００３８】
このため、本発明では、点消火時のバーナ前圧力を迅速に規定値に保持することができ、点火時のバーナ前圧力の低下による燃料噴射バーナの不安定燃焼が生じることがなく、しかも制御の安定性が向上する。
【００３９】
【発明の実施の形態】
以下、本発明の実施の形態を添付図面を参照しつつ説明する。
【００４０】
図１は本発明の実施の形態の一例で、本実施の形態例においては、図４に示すごときバーナ前圧力制御を一次的に中断する制御系と、図６に示すごときバーナペア数に対応してプログラムに基づき圧力制御弁の開度を調整する制御系の両方が設置され、比例積分調節器１６から出力された弁開度調整指令Ｖ１と変化率制限器１８からの弁開度指令Ｖ２は加算器１９で加算したうえ、修正弁開度調整指令Ｖ３として圧力制御弁８へ与え得るようになっている。
【００４１】
なお、加算器１９以外の各機器は図４、６に示す機器と同じであるため、同一部分には同一の符号を付し、説明は省略する。
【００４２】
次に、本発明の実施の形態における作用について説明する。
【００４３】
例えば、１ペアの燃料噴射バーナ６ａが燃焼しており、次に他ペアの燃料噴射バーナ６ｂを点火させる場合で、まだ点火指令が与えられていない場合には、図４の場合と同様、切換器１２はａ側に、又切換器１３はｂ側に切換っている。
【００４４】
このため、信号発生器１０からはバーナ前設定圧力Ｐ１が出力され、切換器１２，１３を経て変化率制限器１４へ与えられ、変化率を制限された信号として減算器１５へ与えられる。
【００４５】
又、圧力検出器９で検出した燃料主管１を送給される燃料の圧力はバーナ前検出圧力Ｐとして減算器１５へ与えられ、減算器１５では、バーナ前設定圧力Ｐ１とバーナ前検出圧力Ｐの差がバーナ前圧力偏差ΔＰとして求められ、求められたバーナ前圧力偏差ΔＰは比例積分調節器１６へ与えられる。
【００４６】
比例積分調節器１６へ与えられたバーナ前圧力偏差ΔＰは比例積分処理されて弁開度調整指令Ｖ１が求められ、求められた弁開度調整指令Ｖ１は加算器１９へ与えられる。
【００４７】
一方、バーナペア数（ここでは１ペア）に対応して関数発生器１７からは弁開度指令Ｖ２が出力され、変化率制限器１８を経て加算器１９へ与えられる。
【００４８】
加算器１９では、比例積分調節器１６からの弁開度調整指令Ｖ１と変化率制限器１８からの弁開度指令Ｖ２が加算されて修正弁開度調整指令Ｖ３が求められ、求められた修正弁開度調整指令Ｖ３は圧力制御弁８へ与えられ、圧力制御弁８はバーナペア数に見合ったバーナ前圧力となるよう開度調整される。
【００４９】
従って、バーナ前圧力制御とプログラム制御とが併用されるため、経時的に圧力制御の安定性が損われることがなく、安定した圧力制御を行うことができる。
【００５０】
燃料噴射バーナ６ａが燃焼した状態で燃料噴射バーナ６ｂに点火を行う場合には、点火指令により燃料噴射弁４ｂが開くと共に切換器１３はａ側に切換り、変化率制限器１４はレート除外される。このため、圧力検出器９で検出したバーナ前検出圧力Ｐは直接減算器１５に与えられると共に切換器１３、変化率制限器１４を経て減算器１５に与えられる。
【００５１】
このため、減算器１５で求められたバーナ前圧力偏差ΔＰは零になり、比例積分調節器１６から加算器１９へ与えられる弁開度調整指令Ｖ１は零となる。
【００５２】
従って、点火時には、バーナペア数（この場合には２ペア）に対応して関数発生器１７から出力された弁開度指令Ｖ２のみが圧力制御弁８へ与えられ、圧力制御弁８はバーナペア数に見合った開度にプログラム制御される。
【００５３】
このため本実施の形態例では、燃料噴射バーナ６ａが燃焼している状態で燃料噴射弁４ｂを開き、燃料噴射バーナ６ｂに点火を行ってもバーナ前圧力が急激に減少することがなく、安定したバーナ前圧力を得ることができ、従って燃料噴射バーナ６ａ，６ｂに不安定燃焼が生じることがない。
【００５４】
又、燃料噴射バーナ６ｂが点火した後規定時間到達で、切換器１３はｂ側に切換り、変化率制限器１４のレート除外も解除されるため、以後は、減算器１５で信号発生器１０からのバーナ前設定圧力Ｐ３と圧力検出器９からのバーナ前検出圧力Ｐの差であるバーナ前圧力偏差ΔＰが求められ、該バーナ前圧力偏差ΔＰは比例積分調節器１６で比例積分処理されて弁開度調整指令Ｖ１として加算器１９へ与えられ、バーナペア数に対応して定まる弁開度指令Ｖ２と加算され、修正弁開度調整指令Ｖ３として圧力制御弁８へ与えられ、圧力制御弁８はバーナ前圧力制御とプログラム制御とが併用され、従って経時的に圧力制御の安定性が損われることなく、安定した圧力制御が行われる。
【００５５】
燃料噴射バーナ６ａ，６ｂが燃焼している状態で例えば燃料噴射バーナ６ｂを消火する場合には、消火指令が与えられない状態では切換器１２はｂ側に切換っており、信号発生器１１からのバーナ前設定圧力Ｐ４が減算器１５に与えられ、以後は、燃料噴射バーナ６ｂを点火する場合と同様の手順で圧力制御弁８の開度調整が行われる。
【００５６】
又、消火指令が与えられると切換器１３はａ側に切換り、前述と同様、比例積分調節器１６からの弁開度調整指令Ｖ１は零となるため、消火の際には、圧力制御弁８はバーナペア数に対応した弁開度指令Ｖ２によってプログラム制御される。
【００５７】
又、燃料噴射バーナ６ｂが消火された後規定時間到達で、切換器１３はｂ側に切換り、以後は、信号発生器１１からのバーナ前設定圧力Ｐ２とバーナ前検出圧力Ｐの差であるバーナ前圧力偏差ΔＰをもとに求めた弁開度調整指令Ｖ１及び関数発生器１７からの弁開度指令Ｖ２が加算されて修正弁開度調整指令Ｖ３が求められ、修正弁開度調整指令Ｖ３により圧力制御弁８が制御される。
【００５８】
従ってこの場合にも、バーナ前圧力制御とプログラム制御が併用され、安定した圧力制御が可能となる。
【００５９】
本実施の形態例における点火時の時間とバーナ前圧力、圧力制御弁開度の関係は図２に示され、消火時の時間とバーナ前圧力、圧力制御弁開度の関係は図３に示されている。而して、図２からバーナ点火時におけるバーナ前圧力Ｐ２’はそれ程低下せず、Ｐ２よりも高いことが分る。従って、バーナ前圧力は迅速にバーナ前設定圧力Ｐ３に保持される。
【００６０】
又同様に消火時にもバーナ前圧力は迅速にバーナ前設定圧力Ｐ２に保持される。
【００６１】
なお、本発明の実施の形態においては、燃料噴射バーナを２ペア設ける場合について説明したが、複数ペアなら何ペアでも実施できること、その他、本発明の要旨を逸脱しない範囲内で種々変更を加え得ること、等は勿論である。
【００６２】
【発明の効果】
本発明の燃料のバーナ前圧力制御方法及び装置によれば、請求項１、２の何れにおいても、点消火時のバーナ前圧力を迅速に規定値に保持することができ、又バーナ点火時のバーナ前圧力の低下による燃料噴射バーナの不安定燃焼が生じることがなく、安定燃焼が可能となり、又使用により経年的に制御性が損われることがない、等種々の優れた効果を奏し得る。
【図面の簡単な説明】
【図１】本発明の燃料のバーナ前圧力制御方法及び装置の実施の形態の一例を示すブロック図である。
【図２】本発明における点火時の時間とバーナ前圧力、圧力制御弁開度の関係を示すグラフである。
【図３】本発明における消火時の時間とバーナ前圧力、圧力制御弁開度の関係を示すグラフである。
【図４】従来の燃料のバーナ前圧力制御装置において、バーナの点消火時にバーナ前圧力制御を一時的に中断する場合の一例のブロック図である。
【図５】図４に示す燃料のバーナ前圧力制御装置により制御を行う際の燃料流量とバーナ前圧力との関係を示すグラフである。
【図６】従来の燃料のバーナ前圧力制御装置において、プログラム制御を行う場合の一例のブロック図である。
【図７】図６に示す燃料のバーナ前圧力制御装置における関数発生器に設定される関数を示すグラフである。
【符号の説明】
１    燃料主管（管路）
２    燃料ポンプ
６ａ，６ｂ    燃料噴射バーナ
７    燃料戻し管
８    圧力制御弁
９    圧力検出器
１０，１１    信号発生器
１２，１３    切換器
１５  減算器
１６  比例積分調節器（調節器）
１７  関数発生器
Ｐ１，Ｐ２，Ｐ３，Ｐ４    バーナ前設定圧力
Ｐ    バーナ前検出圧力
ΔＰ  バーナ前圧力偏差（差）
Ｖ１  弁開度調整指令
Ｖ２  弁開度指令
Ｖ３  修正弁開度調整指令
【図１】
0003820642.tif 000002
【図２】
0003820642.tif 000003
【図３】
0003820642.tif 000004
【図４】
0003820642.tif 000005
【図５】
0003820642.tif 000006
【図６】
0003820642.tif 000007
【図７】
0003820642.tif 000008